(57)【要約】【課題】ボトルキャップ式の環境保全型鉛筆削りを開示する。【解決手段】前記ボトルキャップ式の環境保全型鉛筆削りは、台座と切削モジュールとを備え、前記台座は円形底板および側板をさらに含む。鉛筆を前記円形底板の前記切削モジュールに対応した端面の開口部に入れることができ、切削モジュールの貫通穴にさらに挿入した後、切削ナイフを利用して前記鉛筆の切削を行なうことができる。【選択図】図１
0003156055.tif 000002
【実用新案登録請求の範囲】
【請求項１】
円型底板および側板を含み、該側板は該円型底板の一方の端面の縁上に設けられ、円型底板上には開口部が設けてあり、円型底板と側板との間に収容スペースを形成し、側板の内縁上にネジ溝が設けてある台座と、
台座の該収容スペース中に設けられ、台座の円型底板と連結し、切削筐体および切削ナイフをさらに含み、該切削ナイフは該切削筐体の側面に結合し、切削筐体には貫通穴が設けてあり、該貫通穴と円形底板上の該開口部とが接続した切削モジュールと、を備え、
鉛筆を円形底板の切削モジュールに対応した端面の開口部から入れ、切削筐体の貫通穴にさらに挿入した後、切削ナイフを利用して該鉛筆の切削を行う、ボトルキャップ式の環境保全型鉛筆削り。
【請求項２】
該側板の内縁の該ネジ溝を利用して、該台座とボトルの口部分を回転させて結合し、該鉛筆の切削を行った後に生成される切削くずを該ボトルで収集するよう構成した、請求項１に記載のボトルキャップ式の環境保全型鉛筆削り。
【請求項３】
該台座と該切削モジュールとを分離できないよう一体成型の構造とした、請求項１に記載のボトルキャップ式の環境保全型鉛筆削り。
【請求項４】
該台座と該切削モジュールとを２つの独立した素子とし、組み立てと取り外しの動作を反復して行う、請求項１に記載のボトルキャップ式の環境保全型鉛筆削り。
【考案の詳細な説明】
【技術分野】
【０００１】
本考案は、ボトルキャップ式の環境保全型鉛筆削りに関し、具体的には、切削モジュールとボトルキャップとを結合して前記鉛筆削りを得るボトルキャップ式の環境保全型鉛筆削りに関する。本願のボトルキャップ式の環境保全型鉛筆削りは、さらに空ボトルを回転させて結合し、切削後に生成される切削くずを収集する。環境を清潔に維持できるだけでなく、廃棄空ボトルを再利用でき、環境保全の訴求を達成することができる。
【背景技術】
【０００２】
一般に、鉛筆の多くは書写、美術または製図に用いられる。時代の進展に伴い、多くの異なる形式の鉛筆が発明されており、例えば、従来の鉛筆、シャープペンシルおよび替え芯を交換可能なロケット鉛筆などがある。従来の鉛筆は、使用上、シャープペンシルまたはその他の新型の鉛筆よりも便利ではないが、製図または美術に従事する要員にとっては、非常に必要な工具であるため、従来の鉛筆の使用は減少しておらず、なくなってもいない。
【０００３】
従来の鉛筆は、使用前に、芯外部を覆う木製の外層を適当なテーパー勾配に削り、先端の芯を露出させた後、同時に芯の先端を適当な形状に削って使用する必要がある。鉛筆を削る原始的な方法は、手でナイフを持ち、希望するテーパー勾配と形状にそのまま鉛筆の先端を切削するものであるが、この方法は時間と力がかかるだけでなく、怪我の危険があり、切削された形状に満足しない可能性もあるため、鉛筆削り器が市販されている。
鉛筆削り器は、基本的に、手動と自動の２種類の方式に分けることができる。その原理はほぼ同じであり、違いは、手動鉛筆削り器は手の力で切削の動作を駆動するが、自動鉛筆削り器はすべて電力で駆動し、手の力を必要としないことのみである。
しかしながら、一般の鉛筆削り器は、切削モジュール以外に、切削後の木くずまたは芯くずを収納し、環境を清潔に保つための適当な大きさの収容スペースが必要であるため、通常の鉛筆削り器は体積が略大きく、重量が略重いという欠点を有する。また、従来の鉛筆削り器に面白みのある変化をもたせることにより、味気ない鉛筆削りの動作に楽しさを付け加えることができる。
【０００４】
さらに、市販されているペットボトルは、中身の飲料を飲み終えた後、一般に廃棄または回収させるだけであり、ペットボトル自体またはペットボトルキャップを改造して利用することは難しい。創意を発揮してその機能を増加することができれば、環境保全につながる。
【考案の概要】
【考案が解決しようとする課題】
【０００５】
前記の問題と欠陥に鑑み、考案者は多年の経験を蓄積し、想像力と創造力を発揮して、試作と修正を絶えず行った後、本考案のボトルキャップ式の環境保全型鉛筆削りを作り出した。
【０００６】
本考案の第１の目的は、切削モジュールとボトルキャップ部のみを含むため、体積が小さく重量が軽いという長所を有し、簡単に持ち運び収納することができるボトルキャップ式の環境保全型鉛筆削りを提供することである。
【０００７】
本考案の第２の目的は、切削モジュールとボトルキャップ部を結合し、従来の鉛筆削りに面白みを付与し、味気ない鉛筆削りの動作に楽しさを付け加えることができるボトルキャップ式の環境保全型鉛筆削りを提供することである。
【０００８】
本考案の第３の目的は、切削モジュールとボトルキャップ部を結合し、ボトルキャップを廃棄・回収する以外に、環境保全のコンセプトに富んだ新しい用途のボトルキャップ式の環境保全型鉛筆削りを提供することである。
【０００９】
本考案の第４の目的は、切削モジュールとボトルキャップ部を含むだけでなく、前記ボトルキャップをボトルと回転させて結合し、鉛筆の切削を行った後に生成される切削くずを前記ボトルで収集することができ、環境を清潔に維持することができるボトルキャップ式の環境保全型鉛筆削りを提供することである。
【課題を解決するための手段】
【００１０】
本考案は、円型底板および側板を含み、前記側板は前記円型底板の一方の端面の縁上に設けられ、円型底板上には開口部が設けてあり、円型底板と側板との間に収容スペースを形成し、側板の内縁上にネジ溝が設けてある台座と、台座の前記収容スペース中に設けられ、台座の円型底板と連結し、切削筐体および切削ナイフをさらに含み、前記切削ナイフは前記切削筐体の側面に結合し、切削筐体には貫通穴が設けてあり、前記貫通穴と円形底板上の前記開口部とが接続した切削モジュールと、を備え、鉛筆を円形底板の切削モジュールに対応した端面の開口部に入れることができ、切削筐体の貫通穴にさらに挿入した後、切削ナイフを利用して前記鉛筆の切削を行うことができるボトルキャップ式の環境保全型鉛筆削りを提供する。
【００１１】
すなわち、本願の第１考案は、円型底板および側板を含み、該側板は該円型底板の一方の端面の縁上に設けられ、円型底板上には開口部が設けてあり、円型底板と側板との間に収容スペースを形成し、側板の内縁上にネジ溝が設けてある台座と、台座の該収容スペース中に設けられ、台座の円型底板と連結し、切削筐体および切削ナイフをさらに含み、該切削ナイフは該切削筐体の側面に結合し、切削筐体には貫通穴が設けてあり、該貫通穴と円形底板上の該開口部とが接続した切削モジュールと、を備え、鉛筆を円形底板の切削モジュールに対応した端面の開口部から入れ、切削筐体の貫通穴にさらに挿入した後、切削ナイフを利用して該鉛筆の切削を行う、ボトルキャップ式の環境保全型鉛筆削りを提供することを要旨とする。
【００１２】
また、本願の第２考案は、該側板の内縁の該ネジ溝を利用して、該台座とボトルの口部分を回転させて結合し、該鉛筆の切削を行った後に生成される切削くずを該ボトルで収集するよう構成した、前記第１考案に記載のボトルキャップ式の環境保全型鉛筆削りを提供することを要旨とする。
【００１３】
また、本願の第３考案は、該台座と該切削モジュールとを分離できないよう一体成型の構造とした、前記第１考案に記載のボトルキャップ式の環境保全型鉛筆削りを提供することを要旨とする。
【００１４】
また、本願の第４考案は、該台座と該切削モジュールとを２つの独立した素子とし、組み立てと取り外しの動作を反復して行う、前記第１考案に記載のボトルキャップ式の環境保全型鉛筆削りを提供することを要旨とする。
【図面の簡単な説明】
【００１５】
【図１】本考案の第１実施例の立体構造図である。
【図２】本考案の前記第１実施例の別の角度の立体構造図である。
【図３】本考案の第１実施例の応用図である。
【図４】本考案の第１実施例の別の角度の前記応用図である。
【図５】本考案の第２実施例の立体図である。
【考案を実施するための形態】
【００１６】
前記の目的と効果を達成するため、考案者は切削モジュールとボトルキャップとを結合し、本考案のボトルキャップ式の環境保全型鉛筆削りを得た。本考案の第１実施例と第２実施例により、それぞれ本考案のボトルキャップ式の環境保全型鉛筆削りについて詳細に説明する。
【００１７】
図１および図２は、それぞれ本考案の前記第１実施例の立体構造図および第１実施例の別の角度の立体構造図である。前記ボトルキャップ式の環境保全型鉛筆削りは、
円型底板１１および側板１２を含み、側板１２は円型底板１１の一方の端面の縁上に設けられ、円型底板１１上には開口部１３が設けてあり、円型底板１１と側板１２との間に収容スペースを形成し、側板１２の内縁上にネジ溝１４が設けてある台座１０と、
台座１０の前記収容スペース中に設けられ、台座１０の円型底板１１と連結し、切削筐体２１および切削ナイフ２２をさらに含み、切削ナイフ２２は切削筐体２１の側面に結合し、切削筐体２１には貫通穴２３が設けてあり、貫通穴２３と円形底板１１上の開口部１３とが接続した切削モジュール２０と、
を備える。
【００１８】
図３および図４は、それぞれ本考案の第１実施例の応用図および第１実施例の別の角度の前記応用図である。鉛筆４０を円形底板１１の切削モジュール２０に対応した端面の開口部１３に入れることができ、切削筐体２１の貫通穴２３にさらに挿入した後、切削ナイフ２２を利用して前記鉛筆の切削を行うことができる。
【００１９】
第１実施例において、台座１０と切削モジュール２０とを一体成型の構造とし、台座１０と切削モジュール２０とを分離できないようにすることができる。台座１０と切削モジュール２０とを２つの独立した素子とし、組み立てと取り外しの動作を反復して行うこともできる。
【００２０】
図５は、本考案の前記第２実施例の立体図である。前記ボトルキャップ式の環境保全型鉛筆削りの構造は第１実施例と略同じであり、違いは、ボトルキャップ式の環境保全型鉛筆削りは側板１２の内縁のネジ溝１４を利用して、台座１０とボトルの口部分３２を回転させて結合し、鉛筆４０の切削を行った後に生成される切削くずをボトル３１で収集することができ、環境を清潔に維持することができる。
【００２１】
以上の実施例は、本考案の技術的構想と特徴を説明するためのものでしかなく、その目的は、当業者が本考案の内容を理解し、これに基づき実施できるようにすることである。本考案の請求の範囲を限定するものではなく、本考案で開示された主旨に基づき行われた同等の変更または修正は、本考案の請求の範囲内に含まれるものとする。
【符号の説明】
【００２２】
１０  台座
１１  円形底板
１２  側板
１３  開口部
１４  ネジ溝
２０  切削モジュール
２１  切削筐体
２２  切削ナイフ
２３  貫通穴
３１  ボトル
３２  口部分
４０  鉛筆
【図１】
0003156055.tif 000003
【図２】
0003156055.tif 000004
【図３】
0003156055.tif 000005
【図４】
0003156055.tif 000006
【図５】
0003156055.tif 000007